(57)【要約】 【課題】寝具に対する感圧部の位置ずれを防止する。【解決手段】感圧チューブ（21）には、その一端の開口にマイクロフォン（22）が接続され、その他端部に第１固定部材（30）が取り付けられる。また、感圧チューブ（21）の中間部には第２固定部材（40）が取り付けられる。寝具に感圧チューブ（21）を設置する際には、第１固定部材（30）及び第２固定部材（40）を寝具の両側端部に位置させ、各固定部材（30,40）のクリップ部（35,45）で寝具を狭持させるようにする。【選択図】図３
2008023048.tif 000002
【特許請求の範囲】
【請求項１】
寝具上に設置されると共に就寝者の体動に伴い内圧が変化するチューブ状の感圧部（21）と、上記感圧部（21）の内圧を受けて圧力信号を出力する受圧部（22）とを備えた睡眠センサであって、
上記感圧部（21）には、該感圧部（21）を寝具に保持させるための固定部材（30,40）が設けられていることを特徴とする睡眠センサ。
【請求項２】
請求項１において、
上記感圧部（21）には、その一端の開口部に上記受圧部（22）が接続され、
上記固定部材（30）は、感圧部（21）の他端部に取り付けられていることを特徴とする睡眠センサ。
【請求項３】
請求項２において、
上記感圧部（21）には、その両端に開口が形成され、
上記固定部材（30）は、感圧部（21）の他端側の開口を封止するようにして該感圧部（21）に取り付けられる取付部（31）と、該取付部（31）と連結して寝具に着脱自在な本体部（32）とを有することを特徴とする睡眠センサ。
【請求項４】
請求項１において、
上記感圧部（21）には、その一端の開口部に上記受圧部（22）が接続される一方、その他端部に第１固定部材（30）が取り付けられ、その一端から他端までの間の中間部に第２固定部材（40）が取り付けられていることを特徴とする睡眠センサ。
【請求項５】
請求項４において、
上記第２固定部材（40）は、感圧部（21）に取り付けられると共に該感圧部（21）に沿って移動可能な取付部（41）と、該取付部（41）と連結して寝具に着脱自在な本体部（42）とを有することを特徴とする睡眠センサ。
【請求項６】
請求項１において、
上記固定部材（30,40）は、上記感圧部（21）に取り付けられる取付部（31,41）と、該取付部（31,41）に対して可動に連結されて寝具に着脱自在な本体部（32,42）とを有していることを特徴とする睡眠センサ。
【発明の詳細な説明】
【技術分野】
【０００１】
本発明は、就寝者の体動を検知する睡眠センサに関するものである。
【背景技術】
【０００２】
就寝者の体動を検知する睡眠センサは、就寝者の健康管理や医療等に利用されている。
【０００３】
例えば特許文献１には、睡眠センサを用いた睡眠判定装置が開示されている。この睡眠判定装置は、装置本体に睡眠センサが接続されている。睡眠センサは、チューブ状の感圧部と、マイクロフォンから成る受圧部とを備えている。上記感圧部は、可撓性及び弾性を有するチューブで構成されている。この感圧部は、寝具上に設置されており、就寝者の体動に伴い内圧が変化するように構成されている。一方、上記受圧部は、感圧部の一端側の開口部に接続され、感圧部の内圧が作用するように構成されている。
【０００４】
寝具上に設置された感圧部の上で就寝者が体動を生起すると、この体動に伴って感圧部の内圧が変化する。その結果、感圧部の内圧が作用した受圧部は、この内圧を圧力信号として装置本体へ出力する。装置本体では、この圧力信号が所定の信号に変換され、就寝者の心拍や呼吸に由来する信号が抽出される。この睡眠判定装置では、このようにして睡眠センサで検出された信号に基づき就寝者の睡眠状態を判定する。
【特許文献１】特開２００２−５８６５３号公報
【発明の開示】
【発明が解決しようとする課題】
【０００５】
上述のような睡眠センサの感圧部は、就寝者の体動を正確に検出するために寝具上で適切な位置に設置する必要がある。ところが、感圧部の設置時において、感圧部が撓んだり折れ曲がったりする等して、寝具上で感圧部の位置ずれが生じてしまうと、就寝者の体動を正確に検出することができなくなる虞がある。
【０００６】
本発明は、かかる点に鑑みてなされたものであり、その目的は、就寝者の体動を検知する睡眠センサにおいて、寝具に対する感圧部の位置ずれを防止することである。
【課題を解決するための手段】
【０００７】
第１の発明は、寝具上に設置されると共に就寝者の体動に伴い内圧が変化するチューブ状の感圧部（21）と、該感圧部（21）に接続されて感圧部（21）の内圧を受けて圧力信号を出力する受圧部（22）とを備えた睡眠センサを前提としている。そして、この睡眠センサは、上記感圧部（21）に、該感圧部（21）を寝具に保持させるための固定部材（30,40）が設けられていることを特徴とするものである。
【０００８】
第１の発明では、チューブ状の感圧部（21）の所定部位に固定部材（30,40）が設けられる。感圧部（21）を寝具に設置する際には、感圧部（21）を固定部材（30,40）によって寝具に保持させる。その結果、寝具上で感圧部（21）の位置がずれてしまうことが回避される。
【０００９】
第２の発明は、第１の発明の睡眠センサにおいて、上記感圧部（21）には、その一端の開口部に上記受圧部（22）が接続され、上記固定部材（30）は、感圧部（21）の他端部に取り付けられていることを特徴とするものである。
【００１０】
第２の発明では、チューブ状の感圧部（21）の一端の開口部に受圧部（22）が接続される一方、感圧部（21）の他端部に固定部材（30）が取り付けられる。このようにすると、固定部材（30）を寝具の側端部に取り付けた状態で、感圧部（21）を寝具の反対側の側方へ引き込むことで、寝具を横断するように感圧部（21）を設置することができる。
【００１１】
第３の発明は、第２の発明の睡眠センサにおいて、上記感圧部（21）には、その両端に開口が形成され、上記固定部材（30）が、感圧部（21）の他端側の開口を封止するようにして該感圧部（21）に取り付けられる取付部（31）と、該取付部（31）と連結して寝具に着脱自在な本体部（32）とを有することを特徴とするものである。
【００１２】
第３の発明では、感圧部（21）の一端側の開口部に受圧部（22）が接続される。一方、感圧部（21）の他端側の開口には、固定部材（30）の取付部（31）が取り付けられる。この取付部（31）は、感圧部（21）の開口を封止する部材として機能する。一方、この取付部（31）と連結する本体部（32）は、寝具に対して着脱自在に構成される。従って、感圧部（21）の他端部は、この本体部（32）を介して寝具に取り付けられる。
【００１３】
第４の発明は、第１の発明の睡眠センサにおいて、上記感圧部（21）には、その一端の開口部に上記受圧部（22）が接続される一方、その他端部に第１固定部材（30）が取り付けられ、その一端から他端までの間の中間部に第２固定部材（40）が取り付けられていることを特徴とするものである。
【００１４】
第４の発明では、感圧部（21）に第１固定部材（30）と第２固定部材（40）とが設けられる。第１固定部材（30）は、感圧部（21）の他端部に取り付けられる一方、第２固定部材（40）は、感圧部（21）の中間部に取り付けられる。このようにすると、第１固定部材（30）を寝具の側端部に取り付けてから、感圧部（21）を寝具の反対側の側端部に引き込み、寝具を横断するように感圧部（21）を設置できる。更に、この状態で第２固定部材（40）を寝具に取り付けることで、第１固定部材（30）から第２固定部材（40）までの間の感圧部（21）の位置決めを確実に行うことができる。
【００１５】
第５の発明は、第４の発明の睡眠センサにおいて、上記第２固定部材（40）は、感圧部（21）に取り付けられると共に該感圧部（21）に沿って移動可能な取付部（41）と、該取付部（41）と連結して寝具に着脱自在な本体部（42）とを有することを特徴とするものである。
【００１６】
第５の発明では、第２固定部材（40）の取付部（41）が感圧部（21）に沿って移動可能となる。つまり、第２固定部材（40）は、感圧部（21）に取り付けられる位置が可変となる。このようにすると、寝具の大きさや設置状況等に応じて、第１固定部材（30）から第２固定部材（40）までの間の感圧部（21）の距離を変更することができる。具体的には、例えば寝具の幅が比較的広い場合、第２固定部材（40）を受圧部（22）側にずらして第１固定部材（30）から第２固定部材（40）までの距離を伸ばす。その結果、各固定部材（30,40）を寝具の両端側にそれぞれ取り付けながら、両固定部材（30,40）の間の感圧部（21）の位置決めを行うことが可能となる。
【００１７】
第６の発明は、第１の発明の睡眠センサにおいて、上記固定部材（30,40）は、上記感圧部（21）に取り付けられる取付部（31,41）と、該取付部（31,41）に対して可動に連結されて寝具に着脱自在な本体部（32,42）とを有していることを特徴とするものである。
【００１８】
第６の発明では、感圧部（21）に取り付けられる取付部（31,41）に対して本体部（32,42）が可動に構成される。このため、寝具に対する感圧部（21）の設置状況等に応じて本体部（32,42）の角度や位置を任意に変更することができる。
【発明の効果】
【００１９】
本発明によれば、チューブ状の感圧部（21）に固定部材（30,40）を設けるようにしたので、この固定部材（30,40）によって感圧部（21）を寝具に保持させることができる。このため、感圧部（21）を寝具に設置する際に、寝具に対して感圧部（21）の位置決めを確実に行うことができる。その結果、寝具に対する感圧部（21）の位置ずれに伴って睡眠センサの検知精度が低下してしまうのを未然に防止できる。
【００２０】
第２の発明では、感圧部（21）において、受圧部（22）が接続される一端側と逆側の他端部に、固定部材（30）を取り付けるようにしている。このため、固定部材（30）を寝具の側端部に取り付けた状態で、感圧部（21）を寝具に横断させるように設置することができる。従って、寝具上の就寝者に対して固定部材（30）が邪魔となることなく、就寝者の体動を感圧部（21）で検出することができる。
【００２１】
第３の発明では、固定部材（30）の取付部（31）で感圧部（21）の開口を封止するようにして、固定部材（30）を感圧部（21）の他端部に取り付けるようにしている。つまり、本発明では、チューブ状の感圧部（21）の開口を塞ぐための部材として固定部材（30）を利用している。従って、睡眠センサの構造の簡素化を図ることができる。
【００２２】
第４の発明では、感圧部（21）についての他端部と中間部との２箇所に固定部材（30,40）を設けるようにしている。このため、寝具上の２箇所で感圧部（21）を保持することができ、感圧部（21）の位置ずれを確実に防止できる。また、第１固定部材（30）と第２固定部材（40）との２箇所で感圧部（21）を保持させることで、両固定部材（30,40）をまっすぐ伸ばした状態として寝具に設置することでき、両固定部材（30,40）の間の感圧部（21）で就寝者の体動を確実に検知することができる。
【００２３】
特に第５の発明では、感圧部（21）の中間部に設けた第２固定部材（40）を感圧部（21）に沿って移動できるようにしている。このため、本発明によれば、第１固定部材（30）と第２固定部材（40）との間の距離を任意に調節することができ、寝具の仕様に応じて感圧部（21）を最適な位置で保持させることができる。
【００２４】
第６の発明によれば、固定部材（30,40）の取付部（31,41）に対して本体部（32,42）を可動に構成しているので、寝具に対して本体部（32,42）の位置や角度を適宜調節することができる。従って、寝具に取り付けられる本体部（32,42）の位置や角度の自由度が増し、この本体部（32,42）を寝具に対して容易に取り付けることができる。
【発明を実施するための最良の形態】
【００２５】
以下、本発明の実施形態を図面に基づいて詳細に説明する。
【００２６】
本発明の睡眠センサ（20）は、就寝者の睡眠状態をモニタリングする睡眠判定装置（10）に適用されるものである。この睡眠判定装置（10）は、睡眠センサ（20）が装置本体（11）に接続されて構成されている。
【００２７】
図１に示すように、睡眠センサ（20）は、感圧チューブ（21）とマイクロフォン（22）とを備えている。感圧チューブ（21）は、就寝者の体動を検知するための感圧部を構成しており、チューブ本体（21a）と、該チューブ本体（21a）よりもやや小径の連絡チューブ（21b）とが連結されて構成されている。チューブ本体（21a）及び連絡チューブ（21b）は、両端が開口する細長のチューブであって、可撓性及び弾性を有する材料で構成されている。感圧チューブ（21）は、ベッド等の寝具上に設置され、就寝者の体動に伴って内圧が変化するように構成されている。
【００２８】
上記マイクロフォン（22）は、上記感圧チューブ（21）の内圧が作用する受圧部を構成している。マイクロフォン（22）は、上記連絡チューブ（21b）の開口端部に接続されている。また、本実施形態においては、マイクロフォン（22）が睡眠判定装置（10）の装置本体（11）に内蔵されている。就寝者の体動に伴って感圧チューブ（21）の内圧が変化すると、マイクロフォン（22）はこの内圧の変化を検知して圧力信号を出力する。マイクロフォン（22）から出力される圧力信号は、装置本体（11）内に組み込まれた回路ユニットに入力される。
【００２９】
図２に示すように、装置本体（11）の回路ユニットは、処理手段（12）、判定値設定手段（13）、及び睡眠判定手段（14）を備えている。上記処理手段（12）は、睡眠センサ（20）から出力された圧力信号を所定レベル、所定周波数帯域の信号に変調するものである。上記判定値設定手段（13）は、就寝者が寝具上で覚醒しているか否かの判定基準となる睡眠判定値が設定されるものである。なお、この睡眠判定値は、経験的に求められた固定値であってもよいし、例えば睡眠センサ（20）で検出される信号に基づいて適宜更新される変動値であってもよい。上記睡眠判定手段（14）は、処理手段（12）で変調された信号と、上記睡眠判定値とを比較することにより就寝者の睡眠状態を判定するものである。
【００３０】
図３に示すように、上述した睡眠センサ（20）は、本発明の特徴となる第１と第２の固定部材（30,40）を備えている。両固定部材（30,40）は、感圧チューブ（21）をシーツ等の寝具に保持させるためのものである。第１固定部材（30）は、感圧チューブ（21）の他端側の先端部に取り付けられ、第２固定部材（40）は、感圧チューブ（21）の両端の間の中間部に取り付けられている。
【００３１】
図４(Ａ)及び図４(Ｂ)に示すように、第１固定部材（30）は、チューブ本体（21a）の開口端部に接続されている。第１固定部材（30）は、感圧チューブ（21）に取り付けられる第１取付部（31）と、該第１取付部（31）と連結する第１本体部（32）とを備えている。
【００３２】
第１取付部（31）は、蓋部（31a）と、挿入部（31b）と、突出板部（31c）とで構成されている。蓋部（31a）は、チューブ本体（21a）の外径よりもやや大径の円柱状に形成されている。挿入部（31b）は、蓋部（31a）の背面側に形成されている。この挿入部（31b）は、チューブ本体（21a）の内径よりもやや大径の円柱状に形成されており、チューブ本体（21a）の開口端部に圧入されている。突出板部（31c）は、蓋部（31a）の表面側から外方に突出するように形成されている。蓋部（31a）は、先端部が半円形の板状に形成されている。以上のような構成の第１取付部（31）は、感圧チューブ（21）の他端側の開口部を封止するようにして感圧チューブ（21）に取り付けられている。
【００３３】
第１本体部（32）は、リンク部（33）と、プレート部（34）と、クリップ部（35）とで構成されている。リンク部（33）は、やや細長の板状に形成され、その両端部が半円形となっている。リンク部（33）の一端部は、リベット（36a）を介して上記突出板部（31c）と連結している。一方、リンク部（33）の他端部は、リベット（36b）を介してプレート部（34）と連結している。プレート部（34）は、略楕円形の板状に形成されており、その先端にクリップ部（35）が連結している。以上の構成により、クリップ部（35）は、リンク部（33）の２つのリベット（36a,36b）を支点として第１取付部（31）に対して可動となっている。つまり、クリップ部（35）は、感圧チューブ（21）に対する相対的な位置及び角度が可変となっている。
【００３４】
クリップ部（35）は、プレート部（34）と連結する固定側クリップ部（35a）と、該固定側クリップ部（35a）に支持される可動側クリップ部（35b）とで構成されている。可動側クリップ部（35b）は、固定側クリップ部（35a）の支持部を支点として所定角度の範囲で傾動自在に構成されている。つまり、可動側クリップ部（35b）は、その先端が固定側クリップ部（35a）の先端と近接する第１位置（図４(Ｂ)のａ位置）と、その先端が固定側クリップ部（35a）の先端と離れる第２位置（図４(Ｂ）のｂ位置）との間で可動に構成されている。また、クリップ部（35）には、図示しない弾性部材が設けられており、この弾性部材が可動側クリップ部（35b）を第１位置側へ付勢している。以上のような構成により、クリップ部（35）は、固定側クリップ部（35a）と可動側クリップ部（35b）との間にシーツ等の寝具を狭持することが可能となっている。
【００３５】
図５(Ａ)及び図５(Ｂ)に示すように、第２固定部材（40）は、チューブ本体（21a）の外周に取り付けられている。第２固定部材（40）は、感圧チューブ（21）に取り付けられる第２取付部（41）と、該第２取付部（41）と連結する第２本体部（42）とを備えている。
【００３６】
第２取付部（41）は、クランプ部（42a）と突出板部（42b）とで構成されている。クランプ部（42a）は、中空の筒状部材で構成されている。クランプ部（42a）の内径は、感圧チューブ（21）の外径よりも若干小径に構成されており、その内部に弾性を有する感圧チューブ（21）が圧入されて挿通している。以上の構成により、第２取付部（41）は、感圧チューブ（21）に沿って図５の矢印で示す方向に移動可能となっている。また、クランプ部（42a）の内径は感圧チューブ（21）の外径よりもやや小径となっているため、感圧チューブ（21）を移動させた後にも、感圧チューブ（21）の弾性力がクランプ部（42a）の内壁に作用する。このため、第２取付部（41）は感圧チューブ（21）の所定位置に保持されることになる。
【００３７】
第２本体部（42）は、上記第１固定部材（30）と同様の構造となっている。つまり、第２本体部（42）は、突出板部（42b）及びプレート板（44）が２つのリベット（46a,46b）を介してリンク部（43）と連結され、更にプレート板（44）にはクリップ部（45）が連結されている。
【００３８】
−睡眠判定動作−
次に、本実施形態の睡眠判定装置（10）の睡眠判定動作の一例について説明する。
【００３９】
図１に示すように、寝具上に感圧チューブ（21）が設置された状態において、就寝者が寝具上で体動を生起すると、就寝者の体動に伴う力が感圧チューブ（21）に作用する。その結果、感圧チューブ（21）の内圧が変化し、この内圧がマイクロフォン（22）に作用する。マイクロフォン（22）からは、装置本体（11）の回路ユニットへ圧力信号が出力させる。
【００４０】
図６に示すように、回路ユニットへ圧力信号が入力されると、まず、処理手段（12）がこの信号を１００[sample/sec]に積算・平均化する（ステップＳ１）。次に、処理手段（12）は、この信号から人体の固有振動帯域に相当する帯域（７．５±２．５Ｈｚ）の信号を抽出する（ステップＳ２）。その後、この信号は整流化（絶対値化）された後、所定時間でピークホールドされ、いわゆる包絡線検波処理がなされる（ステップＳ３）。さらに、処理手段（12）は、この信号から比較的低周波の振動帯域（０．５Ｈｚ）の信号を抽出する（ステップＳ４）。その後、処理手段（12）は、この信号について約１０秒間隔で積算・平均化を行う（ステップＳ５）。以上のようにして処理手段（12）で処理された信号は、特に就寝者の体動（就寝者の呼吸・心拍に由来する微動及び就寝者の入床、離床、寝返りなどに由来する粗動）が顕著化された信号（以下、体動信号と称す）に変換される。
【００４１】
一方、上記判定値設定手段（13）には、この体動信号のうち就寝者の微動と粗動とを判別するための閾値として睡眠判定値が決定されている。睡眠判定手段（14）は、この睡眠判定値と上記体動信号との比較を行う（ステップＳ６）。そして、体動信号が睡眠判定値よりも所定時間（例えば３分）以上継続して大きい場合、就寝者からは継続的な粗動が生起しているとみなされ、就寝者が覚醒状態であると判定される。
−感圧チューブの設置例−
上記睡眠判定装置（10）の睡眠センサ（20）は、就寝者の体動を正確に検出するために寝具上において適切な位置に設置する必要がある。ところが、感圧チューブ（21）を寝具に設置する際に、感圧チューブ（21）が撓んだり折れ曲がったりすると、寝具上で感圧チューブ（21）の位置ずれが生じ、就寝者の体動を正確に検出することができなくなる虞がある。そこで、本実施形態の睡眠センサ（20）では、感圧チューブ（21）に固定部材（30,40）を設けることで、寝具上における感圧チューブ（21）の位置ずれを防止するようにしている。
【００４２】
具体的には、感圧チューブ（21）を寝具上に設置する際には、図７に示すように、まずベッド等の寝具（50）の片側の側端部に第１固定部材（30）を取り付ける。この際には、第１固定部材（30）のクリップ部（35）の位置や角度を図４に示すリンク部（33）を介して適宜調節する。そして、第１固定部材（30）のクリップ部（35）で寝具（50）のシーツ等を狭持させるようにする。その結果、感圧チューブ（21）の先端部が寝具（50）に保持された状態となる。
【００４３】
次いで、感圧チューブ（21）が寝具（50）をまっすぐ横断するように感圧チューブ（21）を側方へ引き込む。そして、寝具（50）の反対側の側端部に第２固定部材（40）を取り付ける。この際に、第２固定部材（40）と寝具（50）の側端部との位置が合わない場合には、クランプ部（42a）を感圧チューブ（21）に沿ってすべらせて、感圧チューブ（21）における第２固定部材（40）の位置を調節する。また、この際にも、第２固定部材（40）の位置や角度を図５に示すリンク部（43）を介して適宜調節する。そして、第２固定部材（40）のクリップ部（45）で寝具（50）のシーツ等を狭持させるようにする。その結果、感圧チューブ（21）の中間部が寝具（50）に保持された状態となる。
【００４４】
以上のように感圧チューブ（21）を寝具に設置することで、感圧チューブ（21）の位置が寝具（50）に対してずれてしまうことが回避される。このような状態から感圧チューブ（21）の上に更にマット等を敷設することで、感圧チューブ（21）が寝具上に確実に保持される。
【００４５】
−実施形態の効果−
上記実施形態によれば、感圧チューブ（21）に固定部材（30,40）を設けるようにしたので、感圧チューブ（21）を寝具に設置する際、この感圧チューブ（21）の位置決めを確実に行うことができる。このため、寝具上における感圧チューブ（21）の位置ずれを防止でき、この位置ずれに伴い感圧チューブ（21）の検知精度が低下してしまうのも防止できる。
【００４６】
特に上記実施形態によれば、感圧チューブ（21）の先端部と中間部との２箇所に固定部材（30,40）を設けるようにしている。このため、感圧チューブ（21）の位置ずれを一層確実に防止できる。また、このように感圧チューブ（21）を２箇所の固定部材（30,40）で保持するようにすると、両固定部材（30,40）の間の感圧チューブ（21）を真っ直ぐ伸ばした状態で寝具上に設置することができる。従って、両固定部材（30,40）の間の感圧チューブ（21）で就寝者の体動を確実に検知することができる。
【００４７】
また、上記実施形態によれば、第２固定部材（40）にクランプ部（42a）を設けるようにしているので、第２固定部材（40）の取付位置を感圧チューブ（21）に沿って適宜変更することができる。このため、寝具の幅に応じて第２固定部材（40）の位置を適宜調節し、寝具の両側端部に感圧チューブ（21）を保持させることができる。その結果、両固定部材（30,40）が就寝者の邪魔になることなく、両固定部材（30,40）の間の感圧チューブ（21）で就寝者の体動を検知することができる。
【００４８】
更に、上記実施形態では、第１固定部材（30）の第１取付部（31）で感圧チューブ（21）の先端の開口を封止するようにしている。つまり、上記実施形態では、感圧チューブ（21）の開口を塞ぐための部材として第１固定部材（30）を利用するようにしている。従って、睡眠センサ（20）の部品点数を削減することができる。
【００４９】
また、上記実施形態では、各固定部材（30,40）にそれぞれリンク部（33,43）を設けることで、各固定部材（30,40）のクリップ部（35,36）の角度を適宜変更できるようにしている。このため、各クリップ部（35,36）を容易に寝具に取り付けることができる。
【００５０】
《その他の実施形態》
上記実施形態については、以下のような構成としてもよい。
【００５１】
上記実施形態では、各固定部材（30,40）の取付部（31,41）にリンク部（33,43）を設けることで、各取付部（31,41）に対して各クリップ部（35,45）の角度を適宜調節できるようにしている。しかしながら、例えば図８に示すように、取付部（31,41）と各クリップ部（35,45）とを紐等の柔軟性材料（48）で接続し、取付部（31,41）に対してクリップ部（35,45）を可動とするようにしても良い。また、例えば図４や図５に示すリンク部（33,43）を省略し、取付部（31,41）にリベットを介して直接プレート部（44,45）を取り付けることで、取付部（31,41）に対するクリップ部（35,45）の角度を調節できるようにしても良い。
【００５２】
また、上記実施形態では、睡眠センサ（20）の感圧チューブ（21）が、チューブ本体（21a）と、このチューブ本体（21a）よりも小径の連絡チューブ（21b）とによって構成されている。しかしながら、感圧チューブ（21）を一体ものの同径のチューブで構成し、その一端側の開口にマイクロフォン（22）を接続するようにしても良い。また、睡眠センサ（20）のマイクロフォン（22）を装置本体（11）の外部に設けるようにしても良い。この場合、マイクロフォン（22）はケーブル配線等を介して装置本体（11）と接続される。
【００５３】
また、上記実施形態では、感圧チューブ（21）に２つの固定部材（30,40）を設けるようにしている。しかしながら、感圧チューブ（21）に固定部材（30）を１箇所だけ設けるようにしても良いし、３つ以上の固定部材を設けるようにしても良い。
【００５４】
更に、上記実施形態では、固定部材（30,40）のクリップ部（35,36）で寝具を狭持することで寝具に感圧部チューブ（21）を保持させるようにしている。しかしながら、感圧チューブ（21）の固定部材として、感圧チューブ（21）と寝具とを貼り合わせるテープを用いるようにしてもよい。具体的には、例えば感圧チューブ（21）の外周面と寝具の表面とに対となる面ファスナ（マジックテープ（登録商標））等を取付け、寝具に感圧チューブ（21）を貼り合わせることで、感圧チューブ（21）を寝具に保持させるようにしても良い。この場合、感圧チューブ（21）の先端部と中間部との２箇所、あるいは３箇所以上にテープを取り付けてもよいし、感圧チューブ（21）の先端部から中間部までの全域に亘ってテープを取り付けるようにしても良い。
【００５５】
なお、以上の実施形態は、本質的に好ましい例示であって、本発明、その適用物、あるいはその用途の範囲を制限することを意図するものではない。
【産業上の利用可能性】
【００５６】
以上説明したように、本発明は、就寝者の体動を検知する睡眠センサについて有用である。
【図面の簡単な説明】
【００５７】
【図１】図１は、実施形態に係る睡眠判定装置の睡眠センサについて、本発明の固定部材の図示を省略した概略構成図である。
【図２】図２は、回路ユニットのブロック図である。
【図３】図３は、感圧チューブの要部を拡大した概略構成図である。
【図４】図４(Ａ)は、第１固定部材の平面図であり、図４(Ｂ)は、第１固定部材の縦断面図である。
【図５】図５(Ａ)は、第２固定部材の平面図であり、図５(Ｂ)は、第１固定部材の縦断面図である。
【図６】図６は、睡眠判定動作の一例を示すフローチャートである。
【図７】図７は、寝具を上方から見た状態における、感圧チューブの取付位置を説明するための概略構成図である。
【図８】図８は、その他の実施形態における固定部材の平面図である。
【符号の説明】
【００５８】
21  感圧チューブ（感圧部）
22  マイクロフォン（受圧部）
30  第１固定部材
31  第１取付部
32  第１本体部
40  第２固定部材
41  第２取付部
42  第２本体部
【図１】
2008023048.tif 000003
【図２】
2008023048.tif 000004
【図３】
2008023048.tif 000005
【図４】
2008023048.tif 000006
【図５】
2008023048.tif 000007
【図６】
2008023048.tif 000008
【図７】
2008023048.tif 000009
【図８】
2008023048.tif 000010
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
寝具上に設置されると共に就寝者の体動に伴い内圧が変化するチューブ状の感圧部（21）と、上記感圧部（21）の内圧を受けて圧力信号を出力する受圧部（22）とを備えた睡眠センサであって、
上記感圧部（21）には、該感圧部（21）を寝具に保持させるための固定部材（30）が設けられ、
上記感圧部（21）には、その両端に開口が形成され、その一端の開口部に上記受圧部（22）が接続され、
上記固定部材（30）は、感圧部（21）の他端側の開口を封止するようにして該感圧部（21）に取り付けられる取付部（31）と、該取付部（31）と連結して寝具に着脱自在な本体部（32）とを有することを特徴とする睡眠センサ。
【請求項２】
寝具上に設置されると共に就寝者の体動に伴い内圧が変化するチューブ状の感圧部（21）と、上記感圧部（21）の内圧を受けて圧力信号を出力する受圧部（22）とを備えた睡眠センサであって、
上記感圧部（21）には、該感圧部（21）を寝具に保持させるための固定部材（30,40）が設けられ、
上記感圧部（21）には、その一端の開口部に上記受圧部（22）が接続される一方、その他端部に第１固定部材（30）が取り付けられ、その一端から他端までの間の中間部に第２固定部材（40）が取り付けられ、
上記第２固定部材（40）は、感圧部（21）に取り付けられると共に該感圧部（21）に沿って移動可能な取付部（41）と、該取付部（41）と連結して寝具に着脱自在な本体部（42）とを有することを特徴とする睡眠センサ。
【請求項３】
寝具上に設置されると共に就寝者の体動に伴い内圧が変化するチューブ状の感圧部（21）と、上記感圧部（21）の内圧を受けて圧力信号を出力する受圧部（22）とを備えた睡眠センサであって、
上記感圧部（21）には、該感圧部（21）を寝具に保持させるための固定部材（30,40）が設けられ、
上記固定部材（30,40）は、上記感圧部（21）に取り付けられる取付部（31,41）と、該取付部（31,41）に対して可動に連結されて寝具に着脱自在な本体部（32,42）とを有していることを特徴とする睡眠センサ。
【手続補正２】
【補正対象書類名】明細書
【補正対象項目名】全文
【補正方法】変更
【補正の内容】
【発明の詳細な説明】
【技術分野】
【０００１】
本発明は、就寝者の体動を検知する睡眠センサに関するものである。
【背景技術】
【０００２】
就寝者の体動を検知する睡眠センサは、就寝者の健康管理や医療等に利用されている。
【０００３】
例えば特許文献１には、睡眠センサを用いた睡眠判定装置が開示されている。この睡眠判定装置は、装置本体に睡眠センサが接続されている。睡眠センサは、チューブ状の感圧部と、マイクロフォンから成る受圧部とを備えている。上記感圧部は、可撓性及び弾性を有するチューブで構成されている。この感圧部は、寝具上に設置されており、就寝者の体動に伴い内圧が変化するように構成されている。一方、上記受圧部は、感圧部の一端側の開口部に接続され、感圧部の内圧が作用するように構成されている。
【０００４】
寝具上に設置された感圧部の上で就寝者が体動を生起すると、この体動に伴って感圧部の内圧が変化する。その結果、感圧部の内圧が作用した受圧部は、この内圧を圧力信号として装置本体へ出力する。装置本体では、この圧力信号が所定の信号に変換され、就寝者の心拍や呼吸に由来する信号が抽出される。この睡眠判定装置では、このようにして睡眠センサで検出された信号に基づき就寝者の睡眠状態を判定する。
【特許文献１】特開２００２−５８６５３号公報
【発明の開示】
【発明が解決しようとする課題】
【０００５】
上述のような睡眠センサの感圧部は、就寝者の体動を正確に検出するために寝具上で適切な位置に設置する必要がある。ところが、感圧部の設置時において、感圧部が撓んだり折れ曲がったりする等して、寝具上で感圧部の位置ずれが生じてしまうと、就寝者の体動を正確に検出することができなくなる虞がある。
【０００６】
本発明は、かかる点に鑑みてなされたものであり、その目的は、就寝者の体動を検知する睡眠センサにおいて、寝具に対する感圧部の位置ずれを防止することである。
【課題を解決するための手段】
【０００７】
第１の発明は、寝具上に設置されると共に就寝者の体動に伴い内圧が変化するチューブ状の感圧部（21）と、該感圧部（21）に接続されて感圧部（21）の内圧を受けて圧力信号を出力する受圧部（22）とを備えた睡眠センサを前提としている。そして、この睡眠センサは、上記感圧部（21）には、該感圧部（21）を寝具に保持させるための固定部材（30）が設けられ、上記感圧部（21）には、その両端に開口が形成され、その一端の開口部に上記受圧部（22）が接続され、上記固定部材（30）は、感圧部（21）の他端側の開口を封止するようにして該感圧部（21）に取り付けられる取付部（31）と、該取付部（31）と連結して寝具に着脱自在な本体部（32）とを有することを特徴とするものである。
【０００８】
第１の発明では、チューブ状の感圧部（21）の所定部位に固定部材（30,40）が設けられる。感圧部（21）を寝具に設置する際には、感圧部（21）を固定部材（30,40）によって寝具に保持させる。その結果、寝具上で感圧部（21）の位置がずれてしまうことが回避される。
【０００９】
また、第１の発明では、チューブ状の感圧部（21）の一端の開口部に受圧部（22）が接続される一方、感圧部（21）の他端部に固定部材（30）が取り付けられる。このようにすると、固定部材（30）を寝具の側端部に取り付けた状態で、感圧部（21）を寝具の反対側の側方へ引き込むことで、寝具を横断するように感圧部（21）を設置することができる。
【００１０】
また、第１の発明では、感圧部（21）の一端側の開口部に受圧部（22）が接続される。一方、感圧部（21）の他端側の開口には、固定部材（30）の取付部（31）が取り付けられる。この取付部（31）は、感圧部（21）の開口を封止する部材として機能する。一方、この取付部（31）と連結する本体部（32）は、寝具に対して着脱自在に構成される。従って、感圧部（21）の他端部は、この本体部（32）を介して寝具に取り付けられる。
【００１１】
第２の発明は、寝具上に設置されると共に就寝者の体動に伴い内圧が変化するチューブ状の感圧部（21）と、上記感圧部（21）の内圧を受けて圧力信号を出力する受圧部（22）とを備えた睡眠センサを前提としている。そして、この睡眠センサは、上記感圧部（21）には、該感圧部（21）を寝具に保持させるための固定部材（30,40）が設けられ、上記感圧部（21）には、その一端の開口部に上記受圧部（22）が接続される一方、その他端部に第１固定部材（30）が取り付けられ、その一端から他端までの間の中間部に第２固定部材（40）が取り付けられ、上記第２固定部材（40）は、感圧部（21）に取り付けられると共に該感圧部（21）に沿って移動可能な取付部（41）と、該取付部（41）と連結して寝具に着脱自在な本体部（42）とを有することを特徴とするものである。
【００１２】
第２の発明では、感圧部（21）に第１固定部材（30）と第２固定部材（40）とが設けられる。第１固定部材（30）は、感圧部（21）の他端部に取り付けられる一方、第２固定部材（40）は、感圧部（21）の中間部に取り付けられる。このようにすると、第１固定部材（30）を寝具の側端部に取り付けてから、感圧部（21）を寝具の反対側の側端部に引き込み、寝具を横断するように感圧部（21）を設置できる。更に、この状態で第２固定部材（40）を寝具に取り付けることで、第１固定部材（30）から第２固定部材（40）までの間の感圧部（21）の位置決めを確実に行うことができる。
【００１３】
また、第２の発明では、第２固定部材（40）の取付部（41）が感圧部（21）に沿って移動可能となる。つまり、第２固定部材（40）は、感圧部（21）に取り付けられる位置が可変となる。このようにすると、寝具の大きさや設置状況等に応じて、第１固定部材（30）から第２固定部材（40）までの間の感圧部（21）の距離を変更することができる。具体的には、例えば寝具の幅が比較的広い場合、第２固定部材（40）を受圧部（22）側にずらして第１固定部材（30）から第２固定部材（40）までの距離を伸ばす。その結果、各固定部材（30,40）を寝具の両端側にそれぞれ取り付けながら、両固定部材（30,40）の間の感圧部（21）の位置決めを行うことが可能となる。
【００１４】
第３の発明は、寝具上に設置されると共に就寝者の体動に伴い内圧が変化するチューブ状の感圧部（21）と、上記感圧部（21）の内圧を受けて圧力信号を出力する受圧部（22）とを備えた睡眠センサを前提としている。そして、この睡眠センサは、上記感圧部（21）には、該感圧部（21）を寝具に保持させるための固定部材（30,40）が設けられ、上記固定部材（30,40）は、上記感圧部（21）に取り付けられる取付部（31,41）と、該取付部（31,41）に対して可動に連結されて寝具に着脱自在な本体部（32,42）とを有していることを特徴とするものである。
【００１５】
第３の発明では、感圧部（21）に取り付けられる取付部（31,41）に対して本体部（32,42）が可動に構成される。このため、寝具に対する感圧部（21）の設置状況等に応じて本体部（32,42）の角度や位置を任意に変更することができる。
【発明の効果】
【００１６】
本発明によれば、チューブ状の感圧部（21）に固定部材（30,40）を設けるようにしたので、この固定部材（30,40）によって感圧部（21）を寝具に保持させることができる。このため、感圧部（21）を寝具に設置する際に、寝具に対して感圧部（21）の位置決めを確実に行うことができる。その結果、寝具に対する感圧部（21）の位置ずれに伴って睡眠センサの検知精度が低下してしまうのを未然に防止できる。
【００１７】
また、第１の発明では、感圧部（21）において、受圧部（22）が接続される一端側と逆側の他端部に、固定部材（30）を取り付けるようにしている。このため、固定部材（30）を寝具の側端部に取り付けた状態で、感圧部（21）を寝具に横断させるように設置することができる。従って、寝具上の就寝者に対して固定部材（30）が邪魔となることなく、就寝者の体動を感圧部（21）で検出することができる。
【００１８】
また、第１の発明では、固定部材（30）の取付部（31）で感圧部（21）の開口を封止するようにして、固定部材（30）を感圧部（21）の他端部に取り付けるようにしている。つまり、本発明では、チューブ状の感圧部（21）の開口を塞ぐための部材として固定部材（30）を利用している。従って、睡眠センサの構造の簡素化を図ることができる。
【００１９】
第２の発明では、感圧部（21）についての他端部と中間部との２箇所に固定部材（30,40）を設けるようにしている。このため、寝具上の２箇所で感圧部（21）を保持することができ、感圧部（21）の位置ずれを確実に防止できる。また、第１固定部材（30）と第２固定部材（40）との２箇所で感圧部（21）を保持させることで、両固定部材（30,40）をまっすぐ伸ばした状態として寝具に設置することでき、両固定部材（30,40）の間の感圧部（21）で就寝者の体動を確実に検知することができる。
【００２０】
また、第２の発明では、感圧部（21）の中間部に設けた第２固定部材（40）を感圧部（21）に沿って移動できるようにしている。このため、本発明によれば、第１固定部材（30）と第２固定部材（40）との間の距離を任意に調節することができ、寝具の仕様に応じて感圧部（21）を最適な位置で保持させることができる。
【００２１】
第３の発明によれば、固定部材（30,40）の取付部（31,41）に対して本体部（32,42）を可動に構成しているので、寝具に対して本体部（32,42）の位置や角度を適宜調節することができる。従って、寝具に取り付けられる本体部（32,42）の位置や角度の自由度が増し、この本体部（32,42）を寝具に対して容易に取り付けることができる。
【発明を実施するための最良の形態】
【００２２】
以下、本発明の実施形態を図面に基づいて詳細に説明する。
【００２３】
本発明の睡眠センサ（20）は、就寝者の睡眠状態をモニタリングする睡眠判定装置（10）に適用されるものである。この睡眠判定装置（10）は、睡眠センサ（20）が装置本体（11）に接続されて構成されている。
【００２４】
図１に示すように、睡眠センサ（20）は、感圧チューブ（21）とマイクロフォン（22）とを備えている。感圧チューブ（21）は、就寝者の体動を検知するための感圧部を構成しており、チューブ本体（21a）と、該チューブ本体（21a）よりもやや小径の連絡チューブ（21b）とが連結されて構成されている。チューブ本体（21a）及び連絡チューブ（21b）は、両端が開口する細長のチューブであって、可撓性及び弾性を有する材料で構成されている。感圧チューブ（21）は、ベッド等の寝具上に設置され、就寝者の体動に伴って内圧が変化するように構成されている。
【００２５】
上記マイクロフォン（22）は、上記感圧チューブ（21）の内圧が作用する受圧部を構成している。マイクロフォン（22）は、上記連絡チューブ（21b）の開口端部に接続されている。また、本実施形態においては、マイクロフォン（22）が睡眠判定装置（10）の装置本体（11）に内蔵されている。就寝者の体動に伴って感圧チューブ（21）の内圧が変化すると、マイクロフォン（22）はこの内圧の変化を検知して圧力信号を出力する。マイクロフォン（22）から出力される圧力信号は、装置本体（11）内に組み込まれた回路ユニットに入力される。
【００２６】
図２に示すように、装置本体（11）の回路ユニットは、処理手段（12）、判定値設定手段（13）、及び睡眠判定手段（14）を備えている。上記処理手段（12）は、睡眠センサ（20）から出力された圧力信号を所定レベル、所定周波数帯域の信号に変調するものである。上記判定値設定手段（13）は、就寝者が寝具上で覚醒しているか否かの判定基準となる睡眠判定値が設定されるものである。なお、この睡眠判定値は、経験的に求められた固定値であってもよいし、例えば睡眠センサ（20）で検出される信号に基づいて適宜更新される変動値であってもよい。上記睡眠判定手段（14）は、処理手段（12）で変調された信号と、上記睡眠判定値とを比較することにより就寝者の睡眠状態を判定するものである。
【００２７】
図３に示すように、上述した睡眠センサ（20）は、本発明の特徴となる第１と第２の固定部材（30,40）を備えている。両固定部材（30,40）は、感圧チューブ（21）をシーツ等の寝具に保持させるためのものである。第１固定部材（30）は、感圧チューブ（21）の他端側の先端部に取り付けられ、第２固定部材（40）は、感圧チューブ（21）の両端の間の中間部に取り付けられている。
【００２８】
図４(Ａ)及び図４(Ｂ)に示すように、第１固定部材（30）は、チューブ本体（21a）の開口端部に接続されている。第１固定部材（30）は、感圧チューブ（21）に取り付けられる第１取付部（31）と、該第１取付部（31）と連結する第１本体部（32）とを備えている。
【００２９】
第１取付部（31）は、蓋部（31a）と、挿入部（31b）と、突出板部（31c）とで構成されている。蓋部（31a）は、チューブ本体（21a）の外径よりもやや大径の円柱状に形成されている。挿入部（31b）は、蓋部（31a）の背面側に形成されている。この挿入部（31b）は、チューブ本体（21a）の内径よりもやや大径の円柱状に形成されており、チューブ本体（21a）の開口端部に圧入されている。突出板部（31c）は、蓋部（31a）の表面側から外方に突出するように形成されている。蓋部（31a）は、先端部が半円形の板状に形成されている。以上のような構成の第１取付部（31）は、感圧チューブ（21）の他端側の開口部を封止するようにして感圧チューブ（21）に取り付けられている。
【００３０】
第１本体部（32）は、リンク部（33）と、プレート部（34）と、クリップ部（35）とで構成されている。リンク部（33）は、やや細長の板状に形成され、その両端部が半円形となっている。リンク部（33）の一端部は、リベット（36a）を介して上記突出板部（31c）と連結している。一方、リンク部（33）の他端部は、リベット（36b）を介してプレート部（34）と連結している。プレート部（34）は、略楕円形の板状に形成されており、その先端にクリップ部（35）が連結している。以上の構成により、クリップ部（35）は、リンク部（33）の２つのリベット（36a,36b）を支点として第１取付部（31）に対して可動となっている。つまり、クリップ部（35）は、感圧チューブ（21）に対する相対的な位置及び角度が可変となっている。
【００３１】
クリップ部（35）は、プレート部（34）と連結する固定側クリップ部（35a）と、該固定側クリップ部（35a）に支持される可動側クリップ部（35b）とで構成されている。可動側クリップ部（35b）は、固定側クリップ部（35a）の支持部を支点として所定角度の範囲で傾動自在に構成されている。つまり、可動側クリップ部（35b）は、その先端が固定側クリップ部（35a）の先端と近接する第１位置（図４(Ｂ)のａ位置）と、その先端が固定側クリップ部（35a）の先端と離れる第２位置（図４(Ｂ）のｂ位置）との間で可動に構成されている。また、クリップ部（35）には、図示しない弾性部材が設けられており、この弾性部材が可動側クリップ部（35b）を第１位置側へ付勢している。以上のような構成により、クリップ部（35）は、固定側クリップ部（35a）と可動側クリップ部（35b）との間にシーツ等の寝具を狭持することが可能となっている。
【００３２】
図５(Ａ)及び図５(Ｂ)に示すように、第２固定部材（40）は、チューブ本体（21a）の外周に取り付けられている。第２固定部材（40）は、感圧チューブ（21）に取り付けられる第２取付部（41）と、該第２取付部（41）と連結する第２本体部（42）とを備えている。
【００３３】
第２取付部（41）は、クランプ部（42a）と突出板部（42b）とで構成されている。クランプ部（42a）は、中空の筒状部材で構成されている。クランプ部（42a）の内径は、感圧チューブ（21）の外径よりも若干小径に構成されており、その内部に弾性を有する感圧チューブ（21）が圧入されて挿通している。以上の構成により、第２取付部（41）は、感圧チューブ（21）に沿って図５の矢印で示す方向に移動可能となっている。また、クランプ部（42a）の内径は感圧チューブ（21）の外径よりもやや小径となっているため、感圧チューブ（21）を移動させた後にも、感圧チューブ（21）の弾性力がクランプ部（42a）の内壁に作用する。このため、第２取付部（41）は感圧チューブ（21）の所定位置に保持されることになる。
【００３４】
第２本体部（42）は、上記第１固定部材（30）と同様の構造となっている。つまり、第２本体部（42）は、突出板部（42b）及びプレート板（44）が２つのリベット（46a,46b）を介してリンク部（43）と連結され、更にプレート板（44）にはクリップ部（45）が連結されている。
【００３５】
−睡眠判定動作−
次に、本実施形態の睡眠判定装置（10）の睡眠判定動作の一例について説明する。
【００３６】
図１に示すように、寝具上に感圧チューブ（21）が設置された状態において、就寝者が寝具上で体動を生起すると、就寝者の体動に伴う力が感圧チューブ（21）に作用する。その結果、感圧チューブ（21）の内圧が変化し、この内圧がマイクロフォン（22）に作用する。マイクロフォン（22）からは、装置本体（11）の回路ユニットへ圧力信号が出力させる。
【００３７】
図６に示すように、回路ユニットへ圧力信号が入力されると、まず、処理手段（12）がこの信号を１００[sample/sec]に積算・平均化する（ステップＳ１）。次に、処理手段（12）は、この信号から人体の固有振動帯域に相当する帯域（７．５±２．５Ｈｚ）の信号を抽出する（ステップＳ２）。その後、この信号は整流化（絶対値化）された後、所定時間でピークホールドされ、いわゆる包絡線検波処理がなされる（ステップＳ３）。さらに、処理手段（12）は、この信号から比較的低周波の振動帯域（０．５Ｈｚ）の信号を抽出する（ステップＳ４）。その後、処理手段（12）は、この信号について約１０秒間隔で積算・平均化を行う（ステップＳ５）。以上のようにして処理手段（12）で処理された信号は、特に就寝者の体動（就寝者の呼吸・心拍に由来する微動及び就寝者の入床、離床、寝返りなどに由来する粗動）が顕著化された信号（以下、体動信号と称す）に変換される。
【００３８】
一方、上記判定値設定手段（13）には、この体動信号のうち就寝者の微動と粗動とを判別するための閾値として睡眠判定値が決定されている。睡眠判定手段（14）は、この睡眠判定値と上記体動信号との比較を行う（ステップＳ６）。そして、体動信号が睡眠判定値よりも所定時間（例えば３分）以上継続して大きい場合、就寝者からは継続的な粗動が生起しているとみなされ、就寝者が覚醒状態であると判定される。
−感圧チューブの設置例−
上記睡眠判定装置（10）の睡眠センサ（20）は、就寝者の体動を正確に検出するために寝具上において適切な位置に設置する必要がある。ところが、感圧チューブ（21）を寝具に設置する際に、感圧チューブ（21）が撓んだり折れ曲がったりすると、寝具上で感圧チューブ（21）の位置ずれが生じ、就寝者の体動を正確に検出することができなくなる虞がある。そこで、本実施形態の睡眠センサ（20）では、感圧チューブ（21）に固定部材（30,40）を設けることで、寝具上における感圧チューブ（21）の位置ずれを防止するようにしている。
【００３９】
具体的には、感圧チューブ（21）を寝具上に設置する際には、図７に示すように、まずベッド等の寝具（50）の片側の側端部に第１固定部材（30）を取り付ける。この際には、第１固定部材（30）のクリップ部（35）の位置や角度を図４に示すリンク部（33）を介して適宜調節する。そして、第１固定部材（30）のクリップ部（35）で寝具（50）のシーツ等を狭持させるようにする。その結果、感圧チューブ（21）の先端部が寝具（50）に保持された状態となる。
【００４０】
次いで、感圧チューブ（21）が寝具（50）をまっすぐ横断するように感圧チューブ（21）を側方へ引き込む。そして、寝具（50）の反対側の側端部に第２固定部材（40）を取り付ける。この際に、第２固定部材（40）と寝具（50）の側端部との位置が合わない場合には、クランプ部（42a）を感圧チューブ（21）に沿ってすべらせて、感圧チューブ（21）における第２固定部材（40）の位置を調節する。また、この際にも、第２固定部材（40）の位置や角度を図５に示すリンク部（43）を介して適宜調節する。そして、第２固定部材（40）のクリップ部（45）で寝具（50）のシーツ等を狭持させるようにする。その結果、感圧チューブ（21）の中間部が寝具（50）に保持された状態となる。
【００４１】
以上のように感圧チューブ（21）を寝具に設置することで、感圧チューブ（21）の位置が寝具（50）に対してずれてしまうことが回避される。このような状態から感圧チューブ（21）の上に更にマット等を敷設することで、感圧チューブ（21）が寝具上に確実に保持される。
【００４２】
−実施形態の効果−
上記実施形態によれば、感圧チューブ（21）に固定部材（30,40）を設けるようにしたので、感圧チューブ（21）を寝具に設置する際、この感圧チューブ（21）の位置決めを確実に行うことができる。このため、寝具上における感圧チューブ（21）の位置ずれを防止でき、この位置ずれに伴い感圧チューブ（21）の検知精度が低下してしまうのも防止できる。
【００４３】
特に上記実施形態によれば、感圧チューブ（21）の先端部と中間部との２箇所に固定部材（30,40）を設けるようにしている。このため、感圧チューブ（21）の位置ずれを一層確実に防止できる。また、このように感圧チューブ（21）を２箇所の固定部材（30,40）で保持するようにすると、両固定部材（30,40）の間の感圧チューブ（21）を真っ直ぐ伸ばした状態で寝具上に設置することができる。従って、両固定部材（30,40）の間の感圧チューブ（21）で就寝者の体動を確実に検知することができる。
【００４４】
また、上記実施形態によれば、第２固定部材（40）にクランプ部（42a）を設けるようにしているので、第２固定部材（40）の取付位置を感圧チューブ（21）に沿って適宜変更することができる。このため、寝具の幅に応じて第２固定部材（40）の位置を適宜調節し、寝具の両側端部に感圧チューブ（21）を保持させることができる。その結果、両固定部材（30,40）が就寝者の邪魔になることなく、両固定部材（30,40）の間の感圧チューブ（21）で就寝者の体動を検知することができる。
【００４５】
更に、上記実施形態では、第１固定部材（30）の第１取付部（31）で感圧チューブ（21）の先端の開口を封止するようにしている。つまり、上記実施形態では、感圧チューブ（21）の開口を塞ぐための部材として第１固定部材（30）を利用するようにしている。従って、睡眠センサ（20）の部品点数を削減することができる。
【００４６】
また、上記実施形態では、各固定部材（30,40）にそれぞれリンク部（33,43）を設けることで、各固定部材（30,40）のクリップ部（35,36）の角度を適宜変更できるようにしている。このため、各クリップ部（35,36）を容易に寝具に取り付けることができる。
【００４７】
《その他の実施形態》
上記実施形態については、以下のような構成としてもよい。
【００４８】
上記実施形態では、各固定部材（30,40）の取付部（31,41）にリンク部（33,43）を設けることで、各取付部（31,41）に対して各クリップ部（35,45）の角度を適宜調節できるようにしている。しかしながら、例えば図８に示すように、取付部（31,41）と各クリップ部（35,45）とを紐等の柔軟性材料（48）で接続し、取付部（31,41）に対してクリップ部（35,45）を可動とするようにしても良い。また、例えば図４や図５に示すリンク部（33,43）を省略し、取付部（31,41）にリベットを介して直接プレート部（44,45）を取り付けることで、取付部（31,41）に対するクリップ部（35,45）の角度を調節できるようにしても良い。
【００４９】
また、上記実施形態では、睡眠センサ（20）の感圧チューブ（21）が、チューブ本体（21a）と、このチューブ本体（21a）よりも小径の連絡チューブ（21b）とによって構成されている。しかしながら、感圧チューブ（21）を一体ものの同径のチューブで構成し、その一端側の開口にマイクロフォン（22）を接続するようにしても良い。また、睡眠センサ（20）のマイクロフォン（22）を装置本体（11）の外部に設けるようにしても良い。この場合、マイクロフォン（22）はケーブル配線等を介して装置本体（11）と接続される。
【００５０】
また、上記実施形態では、感圧チューブ（21）に２つの固定部材（30,40）を設けるようにしている。しかしながら、感圧チューブ（21）に固定部材（30）を１箇所だけ設けるようにしても良いし、３つ以上の固定部材を設けるようにしても良い。
【００５１】
更に、上記実施形態では、固定部材（30,40）のクリップ部（35,36）で寝具を狭持することで寝具に感圧部チューブ（21）を保持させるようにしている。しかしながら、感圧チューブ（21）の固定部材として、感圧チューブ（21）と寝具とを貼り合わせるテープを用いるようにしてもよい。具体的には、例えば感圧チューブ（21）の外周面と寝具の表面とに対となる面ファスナ（マジックテープ（登録商標））等を取付け、寝具に感圧チューブ（21）を貼り合わせることで、感圧チューブ（21）を寝具に保持させるようにしても良い。この場合、感圧チューブ（21）の先端部と中間部との２箇所、あるいは３箇所以上にテープを取り付けてもよいし、感圧チューブ（21）の先端部から中間部までの全域に亘ってテープを取り付けるようにしても良い。
【００５２】
なお、以上の実施形態は、本質的に好ましい例示であって、本発明、その適用物、あるいはその用途の範囲を制限することを意図するものではない。
【産業上の利用可能性】
【００５３】
以上説明したように、本発明は、就寝者の体動を検知する睡眠センサについて有用である。
【図面の簡単な説明】
【００５４】
【図１】図１は、実施形態に係る睡眠判定装置の睡眠センサについて、本発明の固定部材の図示を省略した概略構成図である。
【図２】図２は、回路ユニットのブロック図である。
【図３】図３は、感圧チューブの要部を拡大した概略構成図である。
【図４】図４(Ａ)は、第１固定部材の平面図であり、図４(Ｂ)は、第１固定部材の縦断面図である。
【図５】図５(Ａ)は、第２固定部材の平面図であり、図５(Ｂ)は、第１固定部材の縦断面図である。
【図６】図６は、睡眠判定動作の一例を示すフローチャートである。
【図７】図７は、寝具を上方から見た状態における、感圧チューブの取付位置を説明するための概略構成図である。
【図８】図８は、その他の実施形態における固定部材の平面図である。
【符号の説明】
【００５５】
21  感圧チューブ（感圧部）
22  マイクロフォン（受圧部）
30  第１固定部材
31  第１取付部
32  第１本体部
40  第２固定部材
41  第２取付部
42  第２本体部